【手続補正書】
【提出日】令和2年4月1日(2020.4.1)
【手続補正１】
【補正対象書類名】特許請求の範囲
【補正対象項目名】全文
【補正方法】変更
【補正の内容】
【特許請求の範囲】
【請求項１】
金属製の食品又は飲料缶の食品接触コーティングの形成において使用するために好適な水性食品又は飲料缶コーティング組成物であって、
水性担体と、
前記水性担体に分散している樹脂系であって、スチレンを実質的に含まず、かつ
水分散性ポリマー、及び
乳化重合エチレン性不飽和モノマー成分であって、
（ｉ）少なくとも３０重量％の１つ以上のアルキル（メタ）アクリレート、及び
（ｉｉ）３０重量％超の、脂環式基又は少なくとも４個の炭素原子を含む直鎖若しくは分枝鎖炭化水素基を有する１つ以上のエチレン性不飽和モノマー
を含む乳化重合エチレン性不飽和モノマー成分
を含む樹脂系と
を含むコーティング組成物。
【請求項２】
前記樹脂系が、前記水分散性ポリマーの水性分散物の存在下で乳化重合した前記エチレン性不飽和モノマー成分の反応生成物を含む、請求項１に記載のコーティング組成物。
【請求項３】
前記水分散性ポリマーが、アクリルポリマー、ポリエーテルポリマー、ポリオレフィンポリマー、ポリエステルポリマー、ポリウレタン、又はこれらの混合物若しくはコポリマーを含む、請求項１又は２のいずれか１項に記載のコーティング組成物。
【請求項４】
前記水分散性ポリマーが、ビスフェノールＡ、ビスフェノールＦ、及びビスフェノールＳ（これらのエポキシドを含む）のそれぞれを実質的に含まない芳香族ポリエーテルポリマーを含み；ガラス転移温度が少なくとも６０℃であり；かつ数平均分子量が少なくとも２０００である、請求項１〜３のいずれか１項に記載のコーティング組成物。
【請求項５】
前記水分散性ポリマーが、展延剤及びオルト置換ジフェノールのジエポキシドを含む反応物質から形成された芳香族ポリエーテルポリマーを含む、請求項１〜４のいずれか１項に記載のコーティング組成物。
【請求項６】
前記水分散性ポリマーが、１グラムあたり４０〜４００ｍｇＫＯＨの酸価を有する、請求項１〜５のいずれか１項に記載のコーティング組成物。
【請求項７】
前記乳化重合エチレン性不飽和モノマー成分が、少なくとも８０重量％の、メチルメタクリレート、エチルアクリレート、エチルメタクリレート、ブチルアクリレート、及びブチルメタクリレートのうちの１つ以上を含む、請求項１〜６のいずれか１項に記載のコーティング組成物。
【請求項８】
前記コーティング組成物の粘度が２０〜８０秒（Ｆｏｒｄ  Ｃｕｐ＃２、２５℃）であり、かつ食品又は飲料缶用の内側スプレーコーティング組成物である、請求項１〜７のいずれか１項に記載のコーティング組成物。
【請求項９】
金属基材の少なくとも一部分の上に位置する請求項１〜８のいずれか１項に記載のコーティング組成物から形成された硬化したコーティングを有し、かつ包装された食品又は飲料製品を収容している、食品若しくは飲料缶、又はその一部。
【請求項１０】
金属基材を食品若しくは飲料缶又はその一部へと成形する前又は後に、前記金属基材の表面に請求項１〜８のいずれか１項に記載のコーティング組成物を塗布することを含む、食品又は飲料缶をコーティングする方法。
【手続補正２】
【補正対象書類名】明細書
【補正対象項目名】０１７０
【補正方法】変更
【補正の内容】
【０１７０】
[0168]
全ての特許、特許出願、及び刊行物（実施例において使用される原材料及び成分の化学物質安全データシート、テクニカルデータシート、並びに製品パンフレットを含む）及び本明細書に引用される電子的に利用可能な文書の完全な開示は、あたかも個々に組み込まれているかのように参照により本明細書に組み込まれる。上記の詳細な説明及び実施例は、あくまで理解を助けるためにのみ与えられものである。これらによって不要な限定をするものと理解されるべきではない。本発明は、示され記載された厳密な詳細事項に限定されるべきではなく、当業者に対して明らかな変形は特許請求の範囲において規定される本発明の範囲に含まれることになる。いくつかの実施形態では、本明細書に例示的に開示された本発明は、本明細書に具体的に開示されていないいずれかの要素の不在下で好適に実行されてもよい。
［１］
金属製の食品又は飲料缶の食品接触コーティングの形成において使用するために好適な水性食品又は飲料缶コーティング組成物であって、
水性担体と、
前記水性担体に分散している樹脂系であって、スチレンを実質的に含まず、かつ
水分散性ポリマー、及び
乳化重合エチレン性不飽和モノマー成分であって、
（ｉ）少なくとも３０重量％の１つ以上のアルキル（メタ）アクリレート、及び
（ｉｉ）３０重量％超の、脂環式基又は少なくとも４個の炭素原子を含む直鎖若しくは分枝鎖炭化水素基を有する１つ以上のエチレン性不飽和モノマー
を含む乳化重合エチレン性不飽和モノマー成分
を含む樹脂系と
を含むコーティング組成物。
［２］
前記樹脂系が、置換スチレン化合物も実質的に含まない、［１］に記載のコーティング組成物。
［３］
前記乳化重合エチレン性不飽和モノマー成分が、少なくとも２０重量％の、直鎖状の４炭素以上の炭化水素鎖を含む炭化水素基を有する１つ以上のエチレン性不飽和モノマーを含む、［１］又は２］のいずれか１項に記載のコーティング組成物。
［４］
前記水分散性ポリマーが、ビスフェノールＡ、ビスフェノールＦ、及びビスフェノールＳ（これらのエポキシドを含む）のそれぞれを実質的に含まない芳香族ポリエーテルポリマーである、［１］〜［３］のいずれか１項に記載のコーティング組成物。
［５］
前記樹脂系が、前記水分散性ポリマーの水性分散物の存在下で乳化重合した前記エチレン性不飽和モノマー成分の反応生成物を含む、［１］〜［４］のいずれか１項に記載のコーティング組成物。
［６］
前記水分散性ポリマーと前記乳化重合エチレン性不飽和モノマー成分との全総合重量が、前記コーティング組成物中に存在する全樹脂固形分の少なくとも５０重量％である、［１］〜［５］のいずれか１項に記載のコーティング組成物。
［７］
水分散性ポリマーと乳化重合エチレン性不飽和モノマー成分との重量比が、４０：６０〜９０：１０、５０：５０〜８０：２０、又は６０：４０〜７０：３０である、［１］〜［６］のいずれか１項に記載のコーティング組成物。
［８］
前記水分散性ポリマーが、アクリルポリマー、ポリエーテルポリマー、ポリオレフィンポリマー、ポリエステルポリマー、ポリウレタン、又はこれらの混合物若しくはコポリマーを含む、［１］〜［７］のいずれか１項に記載のコーティング組成物。
［９］
前記水分散性ポリマーが、１つ以上の中和された酸性基又は塩基性基を含む、［１］〜［８］のいずれか１項に記載のコーティング組成物。
［１０］
前記水分散性ポリマーが、１つ以上のアンモニアで中和された又はアミンで中和された酸性基若しくは無水物基を含む、［９］に記載のコーティング組成物。
［１１］
前記水分散性ポリマーが、芳香族ポリエーテルポリマーを含む、［１］〜［１０］のいずれか１項に記載のコーティング組成物。
［１２］
前記水分散性ポリマーが、ガラス転移温度が少なくとも３０℃又は少なくとも６０℃であり、かつ数平均分子量が少なくとも２，０００である芳香族ポリエーテルポリマーを含む、［１］〜［１１］のいずれか１項に記載のコーティング組成物。
［１３］
前記水分散性ポリマーが、展延剤及びジエポキシドを含む反応物質から形成された芳香族ポリエーテルポリマーを含む、［１］〜［１２］のいずれか１項に記載のコーティング組成物。
［１４］
前記ジエポキシドが、オルト置換ジフェノールのジエポキシドを含む、［１３］に記載のコーティング組成物。
［１５］
前記オルト置換ジフェノールのジエポキシドが、テトラメチルビスフェノールＦのジグリシジルエーテルを含む、［１４］に記載のコーティング組成物。
［１６］
前記ジエポキシドが、芳香族ジオール（例えば、ベンゼンジメタノール、バニリルアルコール、フランジメタノールなど）、芳香族二酸（例えば、イソフタル酸、テレフタル酸など）、脂肪族ジオール、脂肪族二酸、脂環式ジオール（例えば、２，２，４，４−テトラメチル−１，３−シクロブタンジオールなどのシクロブタンジオール）、脂環式二酸（例えば、２，２，４，４−テトラメチル−１，３−シクロブタンジカルボン酸などのシクロブタン二酸）、又はこれらの組み合わせのジエポキシドを含む、［１３］に記載のコーティング組成物。
［１７］
前記展延剤が、ジフェノールを含む、［１３］〜［１６］のいずれか１項に記載のコーティング組成物。
［１８］
前記展延剤が、二価モノフェノールを含む、［１７］に記載のコーティング組成物。
［１９］
前記二価モノフェノールが、ヒドロキノンを含む、［１８］に記載のコーティング組成物。
［２０］
前記芳香族ポリエーテルポリマーが、ビスフェノールに由来する任意の構造単位を実質的に含まない、［１３］、［１４］、及び［１６］〜［１９］のいずれか１項に記載のコーティング組成物。
［２１］
前記水分散性ポリマーが、ポリエーテルポリマー及びビニル付加成分の両方を含むコポリマーを含む、［１］〜［２０］のいずれか１項に記載のコーティング組成物。
［２２］
前記水分散性ポリマーが、ポリエーテル−アクリレートコポリマーを含む、［２１］に記載のコーティング組成物。
［２３］
前記ビニル付加成分が、（ｉ）（メタ）アクリル酸及び（ｉｉ）（メタ）アクリレートの両方を含むモノマー混合物から形成される、［２１］又は［２２］に記載のコーティング組成物。
［２４］
前記ポリエーテル−アクリレートコポリマーが、三級アミンの存在下で酸官能性アクリレートポリマー又は無水物官能性アクリレートポリマーと反応したオキシラン官能性ポリエーテルポリマーの反応生成物を含む、［２２］又は［２３］に記載のコーティング組成物。
［２５］
前記ポリエーテル−アクリレートコポリマーを形成するために使用されるポリエーテルポリマーが、前記ポリエーテル−アクリレートポリマーの３０〜９５重量％を構成する、［２２］〜［２４］のいずれか１項に記載のコーティング組成物。
［２６］
前記水分散性ポリマーが、１グラムあたり４０〜４００ｍｇＫＯＨの酸価を有する、［１］〜［２５］のいずれか１項に記載のコーティング組成物。
［２７］
前記乳化重合エチレン性不飽和モノマー成分の少なくとも３０重量％、少なくとも５０重量％、少なくとも７０重量％、少なくとも９５重量％、又は少なくとも９９重量％が、１つ以上のメタクリレートから選択される、［１］〜［２６］のいずれか１項に記載のコーティング組成物。
［２８］
前記乳化重合エチレン性不飽和モノマー成分の少なくとも３０重量％、少なくとも５０重量％、少なくとも７０重量％、少なくとも９５重量％、又は少なくとも９９重量％が、１つ以上のアルキル（メタ）アクリレートから選択される、［１］〜［２７］のいずれか１項に記載のコーティング組成物。
［２９］
前記乳化重合エチレン性不飽和モノマー成分の少なくとも３０重量％、少なくとも５０重量％、少なくとも７０重量％、少なくとも９５重量％、又は少なくとも９９重量％が、１つ以上のアルキルメタクリレートから選択される、［１］〜［２８］のいずれか１項に記載のコーティング組成物。
［３０］
前記乳化重合エチレン性不飽和モノマー成分の少なくとも３５重量％、少なくとも４０重量％、又は少なくとも４５重量％が、脂環式基又は少なくとも４個の炭素原子を含む直鎖若しくは分枝鎖炭化水素基を有する１つ以上のエチレン性不飽和モノマーを含む、［１］〜［２９］のいずれか１項に記載のコーティング組成物。
［３１］
前記乳化重合エチレン性不飽和成分が、少なくとも２０重量％、少なくとも３０重量％、又は少なくとも３５重量％の、少なくとも４個の炭素原子を含みかつ少なくとも３個の炭素原子の最長鎖長を有する直鎖又は分枝鎖炭化水素基を有する１つ以上のエチレン性不飽和モノマーを含む、［１］〜［３０］のいずれか１項に記載のコーティング組成物。
［３２］
前記乳化重合エチレン性不飽和モノマー成分が、１つ以上のＣ１〜Ｃ３アルキル（メタ）アクリレートを含む、［１］〜［３１］のいずれか１項に記載のコーティング組成物。
［３３］
前記１つ以上のＣ１〜Ｃ３アルキル（メタ）アクリレートが、エチルメタクリレート、メチルメタクリレート、又はこれらの組み合わせを含む、［３２］に記載のコーティング組成物。
［３４］
前記乳化重合エチレン性不飽和モノマー成分が、少なくとも８０重量％の、メチルメタクリレート、エチルアクリレート、エチルメタクリレート、ブチルアクリレート（例えば、ｎ−ブチルアクリレート）、及びブチルメタクリレート（例えば、ｎ−ブチルメタクリレート）のうちの１つ以上（例えば、１つ、２つ、３つ、４つ、又は５つ）を含む、［１］〜［３３］のいずれか１項に記載のコーティング組成物。
［３５］
前記乳化重合エチレン性不飽和モノマー成分が、メチルメタクリレートが存在する場合、４０重量％未満のメチルメタクリレートを含む、［１］〜［３４］のいずれか１項に記載のコーティング組成物。
［３６］
前記乳化重合エチレン性不飽和モノマー成分のＴｇが、少なくとも０℃、少なくとも２０℃、少なくとも３０℃、又は少なくとも４０℃である、［１］〜［３５］のいずれか１項に記載のコーティング組成物。
［３７］
前記乳化重合エチレン性不飽和モノマー成分が、ブチルメタクリレートを含む、［１］〜［３６］のいずれか１項に記載のコーティング組成物。
［３８］
前記乳化重合エチレン性不飽和モノマー成分が、ｎ−ブチルメタクリレート及びエチルメタクリレートの両方を含む、［３７］に記載のコーティング組成物。
［３９］
前記乳化重合エチレン性不飽和モノマー成分が、エチルアクリレート、メチルアクリレート、又はｎ−ブチルアクリレートのうちの１つ以上を更に含む、［３８］に記載のコーティング組成物。
［４０］
前記乳化重合エチレン性不飽和モノマー成分が、ブチルアクリレートを含む、［１］〜［３９］のいずれか１項に記載のコーティング組成物。
［４１］
スチレンを実質的に含まず、所望により、置換スチレン化合物も実質的に含まない、［１］〜［４０］のいずれか１項に記載のコーティング組成物。
［４２］
前記樹脂系が、ビニル芳香族を実質的に含まない、［１］〜［４１］のいずれか１項に記載のコーティング組成物。
［４３］
粘度が２０〜８０秒（Ｆｏｒｄ  Ｃｕｐ＃２、２５℃）であり、食品又は飲料缶用の内側スプレーコーティング組成物である、［１］〜［４２］のいずれか１項に記載のコーティング組成物。
［４４］
金属製の食品又は飲料缶用の食品接触コーティングの形成において使用するために好適な水性食品又は飲料缶コーティング組成物であって、
水性担体と、
前記水性担体に分散している樹脂系であって、
スチレンを実質的に含まず、かつ
水分散性ポリマー、及び
少なくとも８０重量％の、メチルメタクリレート、エチルアクリレート、エチルメタクリレート、ブチルアクリレート（例えば、ｎ−ブチルアクリレート）、及びブチルメタクリレート（例えば、ｎ−ブチルメタクリレート）のうちの１つ以上（例えば、１つ、２つ、３つ、４つ、又は５つ）を含むエチレン性不飽和モノマー成分
を含む樹脂系と
を含むコーティング組成物。
［４５］
前記乳化重合エチレン性不飽和モノマー成分が、少なくとも８０重量％の、メチルメタクリレート、エチルアクリレート、エチルメタクリレート、ｎ−ブチルアクリレート、及びｎ−ブチルメタクリレートのうちの１つ以上（すなわち、１つ、２つ、３つ、４つ、又は５つ）を含む、［４４］に記載のコーティング組成物。
［４６］
前記乳化重合エチレン性不飽和モノマー成分が、少なくとも８０重量％の、（ｉ）メチルメタクリレート、エチルアクリレート、エチルメタクリレートのうちの１つ以上と、（ｉｉ）ｎ−ブチルアクリレート及びｎ−ブチルメタクリレートのうちの１つ以上とを含み、
前記乳化重合エチレン性不飽和モノマー成分が、メチルメタクリレートが存在する場合、４０重量％未満のメチルメタクリレートを含む、［４５］に記載のコーティング組成物。
［４７］
前記乳化重合エチレン性不飽和モノマー成分が、メチルメタクリレート、エチルアクリレート、エチルメタクリレート、ｎ−ブチルアクリレート、及びｎ−ブチルメタクリレートのうちの２つ以上（好ましくは３つ以上）から本質的になる、［４４］〜［４６］のいずれか１項に記載のコーティング組成物。
［４８］
前記乳化重合エチレン性不飽和モノマー成分のＴｇが、少なくとも０℃、少なくとも２０℃、少なくとも３０℃、又は少なくとも４０℃である、［４４］〜［４７］のいずれか１項に記載のコーティング組成物。
［４９］
前記水分散性ポリマーが、ビスフェノールＡ、ビスフェノールＦ、及びビスフェノールＳ（これらのエポキシドを含む）のそれぞれを実質的に含まない芳香族ポリエーテルポリマーである、［４４］〜［４８］のいずれか１項に記載のコーティング組成物。
［５０］
前記水分散性ポリマーが、ガラス転移温度が少なくとも３０℃又は少なくとも６０℃であり、かつ数平均分子量が少なくとも２，０００である芳香族ポリエーテルポリマーを含み、前記エチレン性不飽和モノマー成分が、前記水分散性ポリマーの存在下で乳化重合した、［４４］〜［４９］のいずれか１項に記載のコーティング組成物。
［５１］
前記水分散性ポリマーが、展延剤及びジエポキシドを含む反応物質から形成された芳香族ポリエーテルポリマーを含む、［４４］〜［５０］のいずれか１項に記載のコーティング組成物。
［５２］
前記ジエポキシドが、オルト置換ジフェノールのジエポキシドを含む、［５１］に記載のコーティング組成物。
［５３］
前記オルト置換ジフェノールのジエポキシドが、テトラメチルビスフェノールＦのジグリシジルエーテルを含む、［５２］に記載のコーティング組成物。
［５４］
前記ジエポキシドが、芳香族ジオール（例えば、ベンゼンジメタノール、バニリルアルコール、フランジメタノールなど）、芳香族二酸（例えば、イソフタル酸、テレフタル酸など）、脂肪族ジオール、脂肪族二酸、脂環式ジオール（例えば、２，２，４，４−テトラメチル−１，３−シクロブタンジオールなどのシクロブタンジオール、）、脂環式二酸（例えば、２，２，４，４−テトラメチル−１，３−シクロブタンジカルボン酸などのシクロブタン二酸）、又はこれらの組み合わせのジエポキシドを含む、［５１］に記載のコーティング組成物。
［５５］
前記展延剤が、ジフェノールを含む、［５１］〜［５４］のいずれか１項に記載のコーティング組成物。
［５６］
前記展延剤が、二価モノフェノールを含む、［５５］に記載のコーティング組成物。
［５７］
前記二価モノフェノールが、ヒドロキノンを含む、［５６］に記載のコーティング組成物。
［５８］
前記水分散性ポリマーが、ポリエーテルポリマー及びビニル付加成分の両方を含むコポリマーを含む、［４４］〜［５７］のいずれか１項に記載のコーティング組成物。
［５９］
前記水分散性ポリマーが、ポリエーテル−アクリレートコポリマーを含む、［５８］に記載のコーティング組成物。
［６０］
前記ビニル付加成分が、（ｉ）（メタ）アクリル酸及び（ｉｉ）（メタ）アクリレートの両方を含むモノマー混合物から形成される、［５８］又は［５９］に記載のコーティング組成物。
［６１］
前記水分散性ポリマーと前記乳化重合エチレン性不飽和モノマー成分との全総合重量が、前記コーティング組成物中に存在する全樹脂固形分の少なくとも５０重量％である、［４４］〜［６０］のいずれか１項に記載のコーティング組成物。
［６２］
金属製の食品又は飲料缶用の食品接触コーティングの形成において使用するために好適な水性食品又は飲料缶コーティング組成物であって、
水性担体と、
前記水性担体に分散している樹脂系であって、スチレンを実質的に含まず、かつ
ビスフェノールＡ、ビスフェノールＦ、及びビスフェノールＳ（これらのエポキシドを含む）のそれぞれを実質的に含まない水分散性芳香族ポリエーテルポリマー、並びに
前記水分散性芳香族ポリエーテルポリマーの存在下で重合し、かつ
（ｉ）少なくとも５０重量％の１つ以上のアルキル又は脂環式（メタ）アクリレート、及び
（ｉｉ）３０重量％超の、少なくとも４個の炭素原子を含みかつ少なくとも３個の炭素原子の鎖長を有する直鎖又は分枝鎖炭化水素基を有する１つ以上のエチレン性不飽和モノマー
を含む乳化重合エチレン性不飽和モノマー成分を含み、かつ
前記水分散性ポリマーと前記乳化重合エチレン性不飽和モノマー成分との全総合重量が、前記コーティング組成物中に存在する全樹脂固形分の少なくとも５０重量％である樹脂系と
を含むコーティング組成物。
［６３］
前記乳化重合エチレン性不飽和モノマー成分が、ビニル芳香族化合物が存在する場合、１０重量パーセント未満のビニル芳香族化合物を含む、［１］〜［６２］のいずれか１項に記載のコーティング組成物。
［６４］
前記コーティング組成物が、１缶あたり１１５ミリグラムの乾燥フィルム重量で標準的な１２オンスのアルミニウム製絞りしごき飲料缶の内部の上へとスプレー塗布され、少なくとも１９９℃のドームピーク金属温度を実現するために少なくとも１８８℃のオーブン温度で少なくとも５０秒間焼成されたとき、１２１℃で加圧下にて２％クエン酸中でレトルトし、３Ｍ  Ｃｏｍｐａｎｙ（Ｓａｉｎｔ  Ｐａｕｌ，Ｍｉｎｎ．）から入手可能なＳＣＯＴＣＨ  ６１０テープを使用して、ＡＳＴＭ  Ｄ  ３３５９−Ｔｅｓｔ  Ｍｅｔｈｏｄ  Ｂに従って試験した後に９又は１０の下側壁接着採点値を呈する、［１］〜［６３］のいずれか１項に記載のコーティング組成物。
［６５］
前記コーティング組成物が、１缶あたり１１５ミリグラムの乾燥フィルム重量で標準的な１２オンスのアルミニウム製絞りしごき飲料缶の内部の上へとスプレー塗布され、かつ少なくとも１９９℃のドームピーク金属温度を実現するために少なくとも１８８℃のオーブン温度で少なくとも５０秒間焼成されたとき、約８０超、より好ましくは約８５超、更により好ましくは約９０超の脱イオン水との接触角を呈する、［１］〜［６４］のいずれか１項に記載のコーティング組成物。
［６６］
金属基材の少なくとも一部分の上に位置する［１］〜［６５］のいずれか１項に記載のコーティング組成物から形成された硬化したコーティングを有する、食品若しくは飲料缶、又はその一部。
［６７］
全体平均乾燥合計コーティングフィルム重量が、１．０〜６．５グラム／平方メートルである、［６６］に記載の食品若しくは飲料缶、又はその一部。
［６８］
前記硬化したコーティングが、１２５〜６３５マイクロメートルの平均厚さを有する金属基材の少なくとも一部分の上に存在する、［６６］又は［６７］に記載の食品若しくは飲料缶、又はその一部。
［６９］
前記コーティングが、アルミニウム飲料缶の内部食品接触コーティングである、［６６］〜［６９］のいずれか１項に記載の食品若しくは飲料缶、又はその一部。
［７０］
前記硬化したコーティングが、約８０超、より好ましくは約８５超、更により好ましくは約９０超の脱イオン水との接触角を呈する、［６６］〜［６９］のいずれか１項に記載の食品又は飲料缶。
［７１］
包装された食品又は飲料製品を収容している、［６６］〜［７０］のいずれか１項に記載の食品又は飲料缶。
［７２］
金属基材を食品若しくは飲料缶又はその一部へと成形する前又は後に、前記金属基材の表面に［１］〜［６５］のいずれか１項に記載のコーティング組成物を塗布することを含む、食品又は飲料缶をコーティングする方法。
［７３］
前記コーティング組成物が、側壁本体部分及び端部分を含む缶の内面上へとスプレー塗布される、［７２］に記載の方法。
［７４］
前記缶が、アルミニウム飲料缶である、［７３］に記載の方法。
［７５］
スチレン、ビスフェノールＡ、ビスフェノールＦ、及びビスフェノールＳ（これらのエポキシドを含む）のそれぞれを実質的に含まず、また、所望により置換スチレン化合物も実質的に含まないラテックス分散物を作製する方法であって、
［１］〜［７４］のいずれか１項に記載の水分散性ポリマーの水性分散物を提供することと、
前記水分散性ポリマーの前記水性分散物の存在下でエチレン性不飽和モノマー成分を乳化重合することであって、
前記エチレン性不飽和モノマー成分が、
３０重量％超の、脂環式基又は４炭素以上の長さの炭化水素基を有する１つ以上のエチレン性不飽和モノマー、及び
所望により、１つ以上のＣ１〜Ｃ３アルキル（メタ）アクリレート
を含むモノマーの混合物を含む、ことと、を含み、
少なくとも１つのアルキルメタクリレートが、前記エチレン性不飽和モノマー成分中に存在し、
アルキル（メタ）アクリレートが、前記エチレン性不飽和モノマー成分の少なくとも２０重量％、少なくとも３０重量％、少なくとも５０重量％、少なくとも７０重量％、少なくとも９５重量％、又は更には９９重量％以上を構成する方法。
［７６］
前記乳化重合エチレン性不飽和モノマー成分のＴｇが、少なくとも０℃、少なくとも２０℃、少なくとも３０℃、又は少なくとも４０℃である、［７５］に記載の方法。
［７７］
前記水分散性ポリマーが、塩基で中和された酸性基、酸で中和された塩基性基、又はこれらの組み合わせを有する芳香族ポリエーテルポリマーを含む、［７５］又は［７６］に記載の方法。
［７８］
［７５］〜［７７］のいずれか１項に記載の方法から得られるラテックス分散物。
［７９］
前記コーティング組成物（又は［７５］〜［７８］についてはラテックス分散物）が、ビスフェノール及びビスフェノールに由来する任意の構造単位を実質的に含まない、［１］〜［１４］、［１６］〜［５２］、及び［５４］〜［７８］のいずれか１項に記載のコーティング組成物、食品若しくは飲料缶又はその一部、あるいは方法。
［８０］
前記水分散性ポリマーが、テトラメチルビスフェノールＦ又はテトラメチルビスフェノールＦのジエポキシドのうちの一方又は両方を含む成分から形成されるポリエーテルポリマーである、［１］〜［１９］及び［２１］〜［７８］のいずれか１項に記載のコーティング組成物、食品若しくは飲料缶又はその一部、あるいは方法。